(57)【要約】【課題】誰でも容易に床材に切断線を引くことができる、床材用ラインマーキング装置を提供すること。【解決手段】矩形の床材に切断線をマーキングする、床材用ラインマーキング装置であって、平行に対向する一対の横リンク材１と、対向する横リンク材１間に渡設し、横リンク材１に回動自在に軸支する第一縦リンク材２１と、対向する横リンク材１間に第一縦リンク材２１と平行に渡設し、横リンク材１に回動自在に軸支する第二縦リンク材２２と、第一縦リンク材２１の底面から下方に突出するマーカー４と、を有し、一対の横リンク材１と、第一縦リンク材２１と、第二縦リンク材２２とは、平面視で平行四辺形を呈し、一対の横リンク材１と、第一縦リンク材２１と、第二縦リンク材２２とが、平面視で長方形を呈する際に、マーカー４の先端と、一対の横リンク材１の端部を結んだ線との距離が、床材の幅と同一であることを特徴とする、床材用ラインマーキング装置。【選択図】図１
2020090854.tif 000002
【特許請求の範囲】
【請求項１】
矩形の床材に切断線をマーキングする、床材用ラインマーキング装置であって、
平行に対向する一対の横リンク材と、
前記対向する横リンク材間に渡設し、前記横リンク材に回動自在に軸支する第一縦リンク材と、
前記対向する横リンク材間に前記第一縦リンク材と平行に渡設し、前記横リンク材に回動自在に軸支する第二縦リンク材と、
前記第一縦リンク材の底面から下方に突出するマーカーと、
を有し、
前記一対の横リンク材と、前記第一縦リンク材と、前記第二縦リンク材とは、平面視で平行四辺形を呈し、
前記一対の横リンク材と、前記第一縦リンク材と、前記第二縦リンク材とが、平面視で長方形を呈する際に、前記マーカーの先端と、前記一対の横リンク材の端部を結んだ線との距離が、前記床材の幅と同一であることを特徴とする、
床材用ラインマーキング装置。
【請求項２】
請求項１に記載の床材用ラインマーキング装置において、
前記一対の横リンク材の一方の長さ方向の端部に、側面キャスターを有することを特徴とする、床材用ラインマーキング装置。
【請求項３】
請求項２に記載の床材用ラインマーキング装置において、
前記一対の横リンク材の一方の長さ方向の端部は、下方に折曲して段差を設けて壁面当接部を有し、
前記側面キャスターは、前記壁面当接部の端部に設けることを特徴とする、床材ラインマーキング装置。
【請求項４】
請求項１乃至３のいずれか一項に記載の床材用ラインマーキング装置において、
床材と接触する底面に床面キャスターを有し、
前記マーカーの先端の高さは、前記底面キャスターの下端の高さと同一か、僅かに下であることを特徴とする、床材用ラインマーキング装置。
【請求項５】
請求項１乃至４のいずれか一項に記載の床材用ラインマーキング装置において、
前記第一縦リンク材の底面から下方に突出する補助マーカーを有することを特徴とする、床材用ラインマーキング装置。
【請求項６】
請求項１乃至５のいずれか一項に記載の床材用ラインマーキング装置において、
前記マーカーに代えて、前記第一縦リンク材の底面から下方に突出するカッターを有することを特徴とする、床材用ラインマーキング装置。
【請求項７】
矩形の床材を、前記床材と壁との隙間が前記床材の幅より狭くなるように敷設する工程と、
敷設した前記床材に、前記壁の表面と平行であり、前記壁の表面からの、前記床材の前記壁と対向する辺と直交する方向の距離が、前記床材の幅と同一となる線を引く工程と、からなる、
床材へのラインマーキング方法。
【発明の詳細な説明】
【技術分野】
【０００１】
本発明は、壁際に敷設する床材に切断線を引くために用いる、床材用ラインマーキング装置及び床材へのラインマーキング方法に関する。
【背景技術】
【０００２】
近年、コンピュータやインターネットの普及により、オフィスビルの床には各種ＯＡ機器類のための配線・配管等を行う必要がある。
そこで、構造躯体の床面上に、下部に空間を設けた床パネルを敷き詰めて上面を仕上げ床面とし、その下部空間を配線・配管等のための空間とする、フリーアクセスフロアが多くのオフィスビルで採用されている。
【０００３】
フリーアクセスフロアに用いる床パネルは一般的に正方形をしており、床パネルを敷き詰めると、壁際に床パネルより小さな敷設空間が残る場合がある。
このとき、床パネルを適切な大きさに切断し、切断した床パネルを敷設空間に嵌め込んで敷設する作業が必要となる。
床パネルを適切な大きさに切断するためには、壁際の敷設空間を計測し、計測した値を基に床パネルに線を引き、その線に合わせて床パネルを切断する。
【発明の概要】
【発明が解決しようとする課題】
【０００４】
この床パネルを適切な大きさに切断する作業においては、以下のような問題がある。
（１）壁面が床パネルの辺に対して傾斜している場合、一つの床パネルに対して複数回の計測作業が必要となり、作業に時間がかかる。
（２）計測回数が多くなると、計測作業、そしてその計測値を床パネルに反映する作業において、ミスが生じる可能性が高くなる。
【０００５】
本発明は、誰でも容易に床材に切断線を引くことができる、床材用ラインマーキング装置及び床材へのラインマーキング方法を提供することを目的とする。
【課題を解決するための手段】
【０００６】
上記目的を達成するためになされた本願の第１発明は、矩形の床材に切断線をマーキングする、床材用ラインマーキング装置であって、平行に対向する一対の横リンク材と、前記対向する横リンク材間に渡設し、前記横リンク材に回動自在に軸支する第一縦リンク材と、前記対向する横リンク材間に前記第一縦リンク材と平行に渡設し、前記横リンク材に回動自在に軸支する第二縦リンク材と、前記第一縦リンク材の底面から下方に突出するマーカーと、を有し、前記一対の横リンク材と、前記第一縦リンク材と、前記第二縦リンク材とは、平面視で平行四辺形を呈し、前記一対の横リンク材と、前記第一縦リンク材と、前記第二縦リンク材とが、平面視で長方形を呈する際に、前記マーカーの先端と、前記一対の横リンク材の端部を結んだ線との距離が、前記床材の幅と同一であることを特徴とする、床材用ラインマーキング装置を提供する。
本願の第２発明は、第１発明の床材用ラインマーキング装置において、前記一対の横リンク材の一方の長さ方向の端部に、側面キャスターを有することを特徴とする、床材用ラインマーキング装置を提供する。
本願の第３発明は、第２発明の床材用ラインマーキング装置において、前記一対の横リンク材の一方の長さ方向の端部は、下方に折曲して段差を設けて壁面当接部を有し、前記側面キャスターは、前記壁面当接部の端部に設けることを特徴とする、床材ラインマーキング装置を提供する。
本願の第４発明は、第１発明乃至第３発明のいずれかの床材用ラインマーキング装置において、床材と接触する底面に床面キャスターを有し、前記マーカーの先端の高さは、前記底面キャスターの下端の高さと同一か、僅かに下であることを特徴とする、床材用ラインマーキング装置を提供する。
本願の第５発明は、第１発明乃至第４発明のいずれかの床材用ラインマーキング装置において、前記第一縦リンク材の底面から下方に突出する補助マーカーを有することを特徴とする、床材用ラインマーキング装置を提供する。
本願の第６発明は、第１発明乃至第５発明のいずれかの床材用ラインマーキング装置において、前記マーカーに代えて、前記第一縦リンク材の底面から下方に突出するカッターを有することを特徴とする、床材用ラインマーキング装置を提供する。
本願の第７発明は、矩形の床材を、前記床材と壁との隙間が前記床材の幅より狭くなるように敷設する工程と、敷設した前記床材に、前記壁の表面と平行であり、前記壁の表面からの、前記床材の前記壁と対向する辺と直交する方向の距離が、前記床材の幅と同一となる線を引く工程と、からなる、床材へのラインマーキング方法を提供する。
【発明の効果】
【０００７】
本発明は、上記した課題を解決するための手段により、次のような効果の少なくとも一つを得ることができる。
（１）一対の横リンク材と、第一縦リンク材と、第二縦リンク材とは、平面視で平行四辺形を呈するため、平行四辺形を変形させても、一対の横リンク材の端部を結んだ線からマーカーの先端の線までの、横リンク材と平行な方向の距離は一定となる。
（２）一対の横リンク材の端部を結んだ線からマーカーの先端の線までの、横リンク材と平行な方向の距離は一定となるため、この距離を、切断する床パネルの幅と同一とすることにより、床パネルと壁との距離を表す切断線を引くことができる。
（３）床材用ラインマーキング装置を壁及び床パネルに沿って動かすだけで、現場での計測作業が一切不要となり、誰でもミスなく、容易に切断線を引くことができる。
（４）壁面当接部を横リンク材よりも下方に設けることにより、床パネルに切断線を引くために床材用ラインマーキング装置を床パネルの上面に載置した際に、壁面当接部に設けた側面キャスターの壁の表面への当接位置が、実際に床パネルを敷設する高さとなり、正確に敷設範囲に合わせた線を引くことができる
（５）補助マーカーにより、切断線と同時に補助線がマーキングされ、撤去する床パネルと壁際に敷設する床パネルとの区別が容易となる。
（６）壁の表面からの、床材の壁と対向する辺と直交する方向の距離が床材の幅と同一となる線は、床材の壁と逆方向の端部との距離が床材と壁との隙間の距離となる。その線に合わせて切断することで床材を隙間に収めることができる。
【図面の簡単な説明】
【０００８】
【図１】床材用ラインマーキング装置の説明図
【図２ａ】床材用ラインマーキング装置の平面図
【図２ｂ】床材用ラインマーキング装置を変形した状態の平面図
【図３】床材用ラインマーキング装置を床パネル上に載置した状態の説明図
【図４】床材用ラインマーキング装置を用いた、床パネルへのラインマーキング方法の説明図（１）
【図５】床材用ラインマーキング装置を用いた、床パネルへのラインマーキング方法の説明図（２）
【図６】床パネルを切断した状態の説明図
【発明を実施するための形態】
【０００９】
以下、図面を参照しながら本発明の実施の形態について説明する。
【００１０】
［１］床材用ラインマーキング装置の構成
＜１＞全体構成
本発明の床材用ラインマーキング装置は、壁際に敷設する矩形の床材に切断線を引くためのものである。
床材用ラインマーキング装置は、平行に対向する一対の横リンク材１と、対向する横リンク材１間に平行に渡設する第一縦リンク材２１及び第二縦リンク材２２と、横リンク材１と第一縦リンク材２１又は第二縦リンク材２２を連結する固定レバー３と、第一縦リンク材２１に設けるマーカー４及び補助マーカー４１と、からなる（図１）。
【００１１】
＜２＞横リンク材
横リンク材１は、細長状の部材である。
横リンク材１は、一方の長さ方向端部には、下方に折曲して段差を設けて壁面当接部１１を設ける。
壁面当接部１１の端部には、壁Ｗの表面に当接する側面キャスター１２を設ける。
横リンク材１の他方の長さ方向端部側の底面には、底面キャスター１３を設ける。
側面キャスター１２及び底面キャスター１３は、当接した面に対して、床材用ラインマーキング装置を滑らかに動かすための部材であり、フリーボールベアリングやキャスターが好適である。
【００１２】
＜３＞第一縦リンク材
第一縦リンク材２１は、板状の部材であり、対向する横リンク材１間に渡設する。
第一縦リンク材２１は、両端を固定レバー３によって回動及び固定自在に横リンク材１に軸支する。
第一縦リンク材２１には、マーカー４及び補助マーカー４１を固定する。
【００１３】
＜４＞第二縦リンク材
第二縦リンク材２２は、細長状の部材であり、対向する横リンク材１間に渡設する。
第二縦リンク材２２は、両端を固定レバー３によって回動及び固定自在に横リンク材１に軸支する。
【００１４】
＜５＞固定レバー
固定レバー３は、横リンク材１と第一縦リンク材２１、横リンク材１と第二縦リンク材２２をそれぞれ回動及び固定自在に軸支するものであり、クランクレバーやカムレバー等、従来用いられているものを用いる。
なお、本実施例においては、一対の横リンク材１、第一縦リンク材２１、第二縦リンク材２２は４本の固定レバー３で軸支しているが、少なくとも一箇所が固定できればよく、他の三箇所は固定レバー３でなく、回動自在であればよい。さらに、使用時に容易に回動しないように軸支すれば、四箇所とも回動自在でもよい。
【００１５】
＜６＞マーカー、補助マーカー
マーカー４及び補助マーカー４１は、油性ペンやローラー等の線を引くことができる部材である。
マーカー４及び補助マーカー４１は、線を引くことができる先端を第一縦リンク材２１の底面から下方に突設する。
平面視したときのマーカー４の先端は、第一縦リンク材２１の回動の支点となる二つの固定レバー３を結んだ線Ｌ２上に位置する。
マーカー４及び補助マーカー４１の先端の高さは、底面キャスター１３の下端の高さと同一か、僅かに下になるようにする。
補助マーカー４１は、マーカー４よりも横リンク材１の壁面当接部１１を設けた端部側にずらして固定する。
マーカー４と補助マーカー４１は別の色とすることが好ましい。
【００１６】
＜７＞第一縦リンク材及び第二縦リンク材の配置
一対の横リンク材１及び第一縦リンク材２１と第二縦リンク材２２は、それぞれ平行な状態で固定レバー３に軸支するため、床材用ラインマーキング装置は全体として平面視で平行四辺形を呈する。
第一縦リンク材２１に固定するマーカー４は、床材用ラインマーキング装置が平面視で長方形の状態のときの、一対の横リンク材１の端部を結んだ線、すなわち側面キャスター１２の端面を結んだ線Ｌ１から、マーカー４の先端の線Ｌ２までの距離Ｄが、床パネル５の幅Ｄと同一となるように構成する（図２ａ）。
床材用ラインマーキング装置の固定レバー３の固定を解除して変形させると、全体の平行四辺形の形状が変形する。このとき、Ｌ１とＬ２との間の、横リンク材１と平行な方向の距離Ｄは常に一定となる（図２ｂ）。
なお、本実施例においては、横リンク材１が第一縦リンク材２１及び第二横リンク材２２の下方に位置するが、平行四辺形を呈していればいずれの部材が下方であっても良い。そのときは、床パネル５の上面に接する部材に底面キャスター１３を設ける。
【００１７】
＜８＞壁面当接部の高さ
横リンク材１の端部には、下方に段差を設けて壁面当接部１１を設ける。
壁面当接部１１を横リンク材１よりも下方に設けることにより、床パネル５に切断線を引くために床材用ラインマーキング装置を床パネル５の上面に載置した際に、壁面当接部１１に設けた側面キャスター１２の壁Ｗの表面への当接位置が、実際に床パネル５を敷設する高さとなり、正確に敷設範囲に合わせた線を引くことができる（図３）。
このため壁面当接部１１は、横リンク材１から、少なくとも底面キャスター１３の高さ以上の高さを下げて設けるのが好ましい。
【００１８】
［２］床材用ラインマーキング装置を用いた床材へのラインマーキング方法
次に、本発明の床材用ラインマーキング装置を用いた床材へのラインマーキング方法について説明する。
【００１９】
＜１＞床パネルの敷設
床パネル５を部屋に敷設していくと、壁Ｗの近くでは、床パネル５と壁Ｗとの隙間が床パネル５の幅Ｄより狭い隙間Ｇができる（図４）。
特に床パネル５の辺に対して壁Ｗが傾斜している場合、隙間Ｇの形状は床パネル５の列毎に異なる。
【００２０】
＜２＞床材用ラインマーキング装置の変形
本発明の床材用ラインマーキング装置の固定レバー３の固定を解除し、一対の横リンク材１の端部に設けた側面キャスター１２の両方が壁Ｗの表面に当接した状態で、横リンク材１と、床パネル５の幅方向と平行な辺Ｓ１（壁Ｗと対向する辺と直交する辺）とが平行になるように、床材用ラインマーキング装置の平行四辺形を変形し、固定レバー３を締めて再度固定する。
側面キャスター１２の端面を結んだ線からマーカー４の先端の線までの、横リンク材１と平行な方向の距離は床パネル５の幅Ｄと同一であるため、壁Ｗとマーカー４の先端までの該方向の距離も床パネル５の幅Ｄとなる。
側面キャスター１２が壁Ｗに当接した状態で、横リンク材１と床パネル５の辺Ｓ１とが平行となるように床材用ラインマーキング装置を変形するだけであり、誰でも容易に変形することができる。
【００２１】
＜３＞切断線のマーキング
敷設された床パネル５上を、床材用ラインマーキング装置を側面キャスター１２を壁Ｗの表面に当接した状態で動かす。側面キャスター１２と、床材用ラインマーキング装置の底面に設けた底面キャスター１３により、床材用ラインマーキング装置は、壁Ｗ及び床パネル５に沿って滑らかに動く。
床材用ラインマーキング装置の第一縦リンク材２１の底面からは、マーカー４及び補助マーカー４１が突設しており、床パネル５上にはマーカー４による切断線Ｌ３と、補助マーカー４１による補助線Ｌ４が壁Ｗの表面と平行にマーキングされる（図５）。
床材用ラインマーキング装置を壁Ｗに沿って動かすため、壁Ｗと切断線Ｌ３との、床パネル５の辺Ｓ１と平行な方向の距離は、床パネル５の幅Ｄである。
【００２２】
ある位置での床パネル５と壁Ｗとの、床パネル５の辺Ｓ１と平行な方向の距離をＤ１とすると、床パネル５の幅Ｄを合わせた距離はＤ＋Ｄ１となる（図４）。
壁Ｗと切断線Ｌ３との、床パネル５の辺Ｓ１と平行な方向の距離は床パネル５の幅Ｄであるため、床パネル５の壁Ｗと逆方向の端部と切断線Ｌ３との該方向の距離は、床パネル５と壁Ｗとの距離Ｄ１となる（図５）。
床材用ラインマーキング装置を壁Ｗ及び床パネル５に沿って動かすだけで、現場での計測作業が一切不要となり、誰でもミスなく、容易に切断線Ｌ３を引くことができる。
【００２３】
＜４＞床パネルの切断
床パネル５を切断線Ｌ３で切断する。
床パネル５の辺Ｓ１と平行な方向の、切断線Ｌ３と床パネル５の壁Ｗと逆方向の端部からの距離は、床パネル５と壁Ｗとの距離Ｄ１となるため、切断した床パネル５ａは、敷設していた床パネル５と壁Ｗとの隙間に綺麗に収まる（図６）。
そして、切断した床パネル５ｂを撤去することにより、壁際に敷設した床パネル５ａの元となったパネル５一枚分のスペースができ、ここに新たに床パネル５を敷設する。
床材用ラインマーキング装置には、マーカー４の他に補助マーカー４１を設けてある。これにより、切断線Ｌ３と同時に補助線Ｌ４がマーキングされるが、補助線Ｌ４がマーキングされるのは撤去する側の床パネル５ｂであり、壁際に敷設する床パネル５ａとの区別が容易となる。このため、切断線Ｌ３を引くマーカー４と、補助線Ｌ４を引く補助マーカー４１は別の色とすることが好ましい。
【００２４】
上記の実施例においては、本発明の床材用ラインマーキング装置はフリーアクセスフロア用の床パネルに切断線を引くために用いたが、床パネル５の上面に敷設するタイルカーペット等の仕上材にも用いることができる。
また、横リンク材１の壁面当接部１１を下方に折曲せずに横リンク材１と同じ高さにすれば、段差のある床パネル５を敷設する場合に限定されず、タイルカーペット等の仕上材に用いることもできる。
このとき、マーカー４に代えて、カッターを第一縦リンク材の下面から突出させると、切断線Ｌ３を引く代わりに直接、タイルカーペット等の仕上材を切断することができる。
【符号の説明】
【００２５】
１…横リンク材、１１…壁面当接部、１２…側面キャスター、１３…底面キャスター
２１…第一縦リンク材、２２…第二縦リンク材
３…固定レバー
４…マーカー、４１…補助マーカー
５…床パネル
【図１】
2020090854.tif 000003
【図２ａ】
2020090854.tif 000004
【図２ｂ】
2020090854.tif 000005
【図３】
2020090854.tif 000006
【図４】
2020090854.tif 000007
【図５】
2020090854.tif 000008
【図６】
2020090854.tif 000009
【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
矩形の床材に切断線をマーキングする、床材用ラインマーキング装置であって、
平行に対向する一対の横リンク材と、
前記対向する横リンク材間に渡設し、前記横リンク材に回動自在に軸支する第一縦リンク材と、
前記対向する横リンク材間に前記第一縦リンク材と平行に渡設し、前記横リンク材に回動自在に軸支する第二縦リンク材と、
前記第一縦リンク材の底面から下方に突出するマーカーと、
を有し、
前記一対の横リンク材と、前記第一縦リンク材と、前記第二縦リンク材とは、平面視で平行四辺形を呈し、
前記一対の横リンク材と、前記第一縦リンク材と、前記第二縦リンク材とが、平面視で長方形を呈する際に、前記マーカーの先端と、前記一対の横リンク材の端部を結んだ線との距離が、前記床材の幅と同一であることを特徴とする、
床材用ラインマーキング装置。
【請求項２】
請求項１に記載の床材用ラインマーキング装置において、
前記一対の横リンク材の一方の長さ方向の端部に、側面キャスターを有することを特徴とする、床材用ラインマーキング装置。
【請求項３】
請求項２に記載の床材用ラインマーキング装置において、
前記一対の横リンク材の一方の長さ方向の端部は、下方に折曲して段差を設けて壁面当接部を有し、
前記側面キャスターは、前記壁面当接部の端部に設けることを特徴とする、床材用ラインマーキング装置。
【請求項４】
請求項１乃至３のいずれか一項に記載の床材用ラインマーキング装置において、
床材と接触する底面に底面キャスターを有し、
前記マーカーの先端の高さは、前記底面キャスターの下端の高さと同一か、僅かに下であることを特徴とする、床材用ラインマーキング装置。
【請求項５】
請求項１乃至４のいずれか一項に記載の床材用ラインマーキング装置において、
前記第一縦リンク材の底面から下方に突出する補助マーカーを有することを特徴とする、床材用ラインマーキング装置。
【請求項６】
請求項１乃至５のいずれか一項に記載の床材用ラインマーキング装置において、
前記マーカーに代えて、前記第一縦リンク材の底面から下方に突出するカッターを有することを特徴とする、床材用ラインマーキング装置。
【請求項７】
矩形の床材を、前記床材と壁との隙間が前記床材の幅より狭くなるように敷設する工程と、
敷設した前記床材に、前記壁の表面と平行であり、前記壁の表面からの、前記床材の前記壁と対向する辺と直交する方向の距離が、前記床材の幅と同一となる線を引く工程と、からなる、
床材へのラインマーキング方法。
【手続補正２】
【補正対象書類名】明細書
【補正対象項目名】０００６
【補正方法】変更
【補正の内容】
【０００６】
上記目的を達成するためになされた本願の第１発明は、矩形の床材に切断線をマーキングする、床材用ラインマーキング装置であって、平行に対向する一対の横リンク材と、前記対向する横リンク材間に渡設し、前記横リンク材に回動自在に軸支する第一縦リンク材と、前記対向する横リンク材間に前記第一縦リンク材と平行に渡設し、前記横リンク材に回動自在に軸支する第二縦リンク材と、前記第一縦リンク材の底面から下方に突出するマーカーと、を有し、前記一対の横リンク材と、前記第一縦リンク材と、前記第二縦リンク材とは、平面視で平行四辺形を呈し、前記一対の横リンク材と、前記第一縦リンク材と、前記第二縦リンク材とが、平面視で長方形を呈する際に、前記マーカーの先端と、前記一対の横リンク材の端部を結んだ線との距離が、前記床材の幅と同一であることを特徴とする、床材用ラインマーキング装置を提供する。
本願の第２発明は、第１発明の床材用ラインマーキング装置において、前記一対の横リンク材の一方の長さ方向の端部に、側面キャスターを有することを特徴とする、床材用ラインマーキング装置を提供する。
本願の第３発明は、第２発明の床材用ラインマーキング装置において、前記一対の横リンク材の一方の長さ方向の端部は、下方に折曲して段差を設けて壁面当接部を有し、前記側面キャスターは、前記壁面当接部の端部に設けることを特徴とする、床材用ラインマーキング装置を提供する。
本願の第４発明は、第１発明乃至第３発明のいずれかの床材用ラインマーキング装置において、床材と接触する底面に底面キャスターを有し、前記マーカーの先端の高さは、前記底面キャスターの下端の高さと同一か、僅かに下であることを特徴とする、床材用ラインマーキング装置を提供する。
本願の第５発明は、第１発明乃至第４発明のいずれかの床材用ラインマーキング装置において、前記第一縦リンク材の底面から下方に突出する補助マーカーを有することを特徴とする、床材用ラインマーキング装置を提供する。
本願の第６発明は、第１発明乃至第５発明のいずれかの床材用ラインマーキング装置において、前記マーカーに代えて、前記第一縦リンク材の底面から下方に突出するカッターを有することを特徴とする、床材用ラインマーキング装置を提供する。
本願の第７発明は、矩形の床材を、前記床材と壁との隙間が前記床材の幅より狭くなるように敷設する工程と、敷設した前記床材に、前記壁の表面と平行であり、前記壁の表面からの、前記床材の前記壁と対向する辺と直交する方向の距離が、前記床材の幅と同一となる線を引く工程と、からなる、床材へのラインマーキング方法を提供する。